(57)【要約】【課題】筆記具の中芯を保持する中芯保持部は、中芯の内壁に中芯保持部を圧入して中芯を保持するが、中芯保持部が尖った形状をしている場合には、中芯内壁を削ってしまい中芯を保持することが、不可能となっていた。【解決手段】先端が開口し筆記体が突出する外筒と、前記筆記体を先端に設けた中芯を保持する中芯保持具を内部に設けた筆記具において、中芯の中芯内壁に対する中芯保持具の当接面積を、５％以上７０％未満とした中芯保持具。【選択図】　図３
2004025559.tif 000002
【特許請求の範囲】
【請求項１】
先端が開口し筆記体が突出する外筒と、前記筆記体を先端に設けた中芯を保持する中芯保持部を内部に設けた筆記具において、前記中芯の内壁に対する中芯保持部の当接割合を、５％以上７０％未満としたこと特徴する中芯保持部。
【請求項２】
前記中芯保持部を矢形状に形成すると共に、その矢形部の頂部を湾曲形成し、また、前記中芯を弾性復元可能な材質で形成したことを特徴とする請求項１記載の中芯保持部。
【発明の詳細な説明】
【０００１】
【発明の属する技術分野】
本発明は、筆記具の内部に設けられているインクが充填されたボールペンのインクタンク（中芯）や、複合筆記具に内蔵されるシャープペンシル本体（中芯）を保持する中芯保持具に関し、前記中芯の内壁に対する中芯保持部の当接割合を最適化したものである。
【０００２】
【従来の技術】
従来、ボールペンの中芯を保持する手段として、実開昭５９−８３５８１号公報が知られている。芯保持ホルダ分体の内部後端には、芯材を保持する保持用突起が形成されており、その保持用突起の頂部は、鋭角な山形状をなしている。そして、その鋭角な保持用突起が、前記芯材の内壁に食い付くようにして、その芯材を保持している。
【０００３】
【発明が解決しようとする課題】
しかし、上記した実開昭５９−８３５８１号公報に開示されているものの様に、芯材の内壁と保持用突起の当接部分が鋭角であると、組み立ての際に保持用突起の鋭角な部分が芯材との当接部分を削ってしまい、十分な保持機能が得られなくなってしまう危険性があった。また、使用者が芯材を複数回抜き差ししてしまう場合も有り、前記の問題が顕著に発生してしまう場合もあった。即ち、保持機能が無くなってしまうと、些細な衝撃よっても芯材が保持用突起から外れてしまい、その結果、芯材が芯保持粉体ホルダ分体内で自由に前後動してしまうのである。
【０００４】
【課題を解決するための手段】
本発明は、先端が開口し筆記体が突出する外筒と、前記筆記体を先端に設けた中芯を保持する中芯保持部を内部に設けた筆記具において、前記中芯の内壁に対する中芯保持部の当接割合を、５％以上７０％未満とした中芯保持部を提案するものである。
【０００５】
【作用】
中芯保持部は、中芯の内壁を押し広げるように進行し、中芯に挿着される。
【０００６】
【実施例】
以下、本発明の詳細を添付図を参照して説明する。外筒に対して出没可能なボールペンを例示する。ノック部１の内側には、中芯受け２が設けられている。その中芯受け２には、中芯４の内壁に当接する中芯保持部３が形成されており、中芯４を保持している。
前記中芯４を保持している中芯４の外側には、ノック部１に圧入・固定された中パイプ５が設けられている。その中パイプ５は、中軸６に設けられている段部７に接続・固定されている。即ち、前記ノック部１と中パイプ５、並びに、中軸６は、実質的に一体になっているのである。符号Ｓは、コイルスプリングなどの弾撥部材であって、前記中軸６を後方に向けて付勢しているが、その中軸６に一体的に固定されている中芯４なども後方に付勢されている。
ここで、前記中芯４の前端には、ペン先１０が固定されており、そのペン先１０にはチップ９が設けられている。
符号１１は、前記外軸の先端に螺合などの手段によって着脱自在に固定された先端カバー１１であり、前記チップ９が突出する開口部１１Ａが形成されている。
【０００７】
使用者が、ノック部１を矢印８の方向へ押下げると、中芯保持部３に保持されている中芯４が押し下げられると共に、前記中パイプ５も中軸６と共に押し下げられる。さらに、ノック部１を押し下げると、前記中芯４の先端に設けられているチップ９が、先端カバー１１の開口部１１Ａから突出する。
【０００８】
前記ペン先１０が先端カバー１１から突出する過程で、クリップ１２の裏面１３に設けられている湾曲部１４が、中軸６に設けられたスライド面１５の端部１６までスライドし、やがて、その湾曲部１４が中パイプ５を抱持する様に、前記中軸６の切り欠き部６Ａに落ち込む。これと同時に、クリップ１２の端部１９が中軸６の端部１６に当接する。ここで、前記ペン先１０が外筒１７（先端カバー１１）から完全に突出すると共に、前記中軸６は勿論、中芯４などの後退が阻止され、筆記可能となる。
【０００９】
次に、前記中芯受け２を図３に示し説明する。この中芯受け２には金属、ゴムや樹脂から形成されたノック部１が被せられている。本実施例においては、つば部２Ａと中芯保持部３を一体に成形しているが、それぞれを別部材で成形し組み立てても良い。前記中芯保持部３は、前方が矢型形状（矢形部３Ａ）をしている。具体的に説明すると、最大径である頂部２２の前方には、前方に向かって縮径するテーパー部２３が成形されている。また、頂部２２は湾曲形成されている。具体的には、外方向に向かって膨出する円弧部を形成している。そして、実質的には、その頂部２２が中芯４の内壁に当接することにより、中芯４を保持している。また、本実施例においては中芯受け２（中芯保持部３）を金属の材質で切削・成形しているが、量産性に優れた樹脂材質で成形しても良い。
【００１０】
符号２０は中芯保持部３の切り欠き部である。ここで、中芯４を保持する為に、中芯保持部３が中芯４の内壁に当接する割合の算出方法について説明する。中芯保持部３が、中芯４に圧入された時の中芯４の内壁の円周をＸとする。また、中芯保持部３が、中芯４に圧入され中芯保持部３と中芯４内壁の当接している部分の長さをＹとする。本発明は、前記Ｙ／Ｘ×１００の式で算出される値が５％以上７０％未満になるように、中芯保持部３並びに、中芯４を設計している。
尚、前記つば部２Ａの底面であって切り欠き部２０の位置には、溝部２１が形成されている。この溝部２１は、筆記した際におけるインキの減量に伴う空気の中軸内への流通路となっている。即ち、本実施例のようにボールペンとして適用した場合には、前記切り欠き部２０は空気流通路になっているが、本発明をシャープペンシルなどの適用させて場合には、前記溝部２１は必要の無い構成である。
【００１１】
中芯保持部３の中芯４の内壁に当接する割合を変えて種々の試験を行った。その結果を下記の表１に示す。
【００１２】
【表１】
2004025559.tif 000003
【００１３】
試験結果について上記表１、図３、図４を参照して、試験結果が良好であった５％から４０％（実施例１）、並びに、６１％から７０％（実施例３）の範囲について説明する。尚、図４は中芯保持部４が中芯４の内壁に当接する割合を１０％に設定したものを図示したものである。この範囲では中芯保持部３を中芯４に圧入させる際に、中芯保持部３の湾曲した頂部２２が中芯４内壁に突き刺さることや、中芯保持部３の頂部２２が、前記中芯４内壁を削ってしまうことがほとんどなかった。
次に、４１％から６０％（実施例２）の範囲について説明する。前記中芯保持部３を中芯４の内壁に抜き差しする際に、中芯保持部３の頂部２２が中芯４内壁に突き刺さることや、中芯保持部３の頂部２２が、前記中芯４内壁を削ってしまうことが全くなかった。このことから、中芯４内壁に中芯保持部３が、４１％から６０％の範囲で当接することが特に優れていると言える。
ちなみに、本例においては、５３．５％に設定されている。
【００１４】
次に比較例として、結果が良くなかったものについて説明する。
まず、中芯保持部３が中芯４の内壁に当接する長さが５％未満で設計したものについて説明する（比較例１）。中芯保持部３の肉厚が非常に薄いため、中芯保持具３を中芯４内壁に抜き差しする場合、前記中芯保持部３の頂部２２が中芯４内壁に突き刺さってしまう。この状態で中芯保持部３を中芯４内壁に圧入しようとすると、その圧入力が中芯保持部３にかかり、その結果、中芯保持部３が折れ曲がり、中芯４を保持することが出来なくなってしまった。
【００１５】
次に中芯保持部３が、中芯４内壁に当接する距離を７１％以上の範囲で設計した場合について説明する（比較例２）。
中芯保持部３は、中芯４の内壁に当接する割合が大きくなっており、中芯保持部３の頂部２２の殆どが中芯４の内壁に接触している。この為、中芯保持部３に設けられている頂部２２が、中芯４の内壁を削ってしまった。そして、その切削作用によって、中芯４を保持することが出来なくなってしまった。
【００１６】
【発明の効果】
本発明は、先端が開口し筆記体が突出する外筒と、前記筆記体を先端に設けた中芯を保持する中芯保持具を内部に設けた筆記具において、前記中芯の内壁に対する中芯保持具の当接割合を、５％以上７０％未満としたので、中芯内壁を削ることなく中芯を保持することができる。
【図面の簡単な説明】
【図１】ノック式ボールペンの半断面図。
【図２】ペン先を突出した状態のノック式ボールペンの半断面図。
【図３】中芯受けの拡大図。
【図４】中芯保持部の変形例。
【符号の説明】
１　　ノック部
２　　中芯受け
２Ａ　　つば部
３　　中芯保持具
４　　中芯
５　　中パイプ
６　　中軸
７　　段部
８　　矢印
９　　チップ
１０　　ペン先
１１　　先端カバー
１１Ａ　　開口部
１２　　クリップ
１３　　クリップ裏面
１４　　湾曲部
１５　　スライド面
１６　　スライド面１５の端部
１７　　外筒
１８　　外筒の端部
１９　　クリップの端部
２０　　中芯保持具の切り欠き部
２１　　溝部
２２　　中芯保持部の頂部
２３　　中芯保持部の先端部
【図１】
2004025559.tif 000004
【図２】
2004025559.tif 000005
【図３】
2004025559.tif 000006
【図４】
2004025559.tif 000007